(57)【要約】　　　（修正有）【課題】カテーテル等のチューブ類を体表面に固定して長期に使用するための医療用安心ホルダとして、安価で、前記チューブ類を損傷することなく、取り扱いが容易で、安定したものを提供する。【解決手段】伸縮性のベルト１の中間部に、一端が前記ベルトに強固に固定され他端が前記ベルトに着脱可能な保持部３を有し、前記保持部の少なくとも前記一端と前記他端との間に伸縮可能部を有するとともに、前記ベルトの両端部に於いて前記ベルトが着脱可能に構成された医療用安心ホルダが有用である。【選択図】　　図１
0003099780.tif 000002
【実用新案登録請求の範囲】
【請求項１】
　伸縮性のベルトの中間部に、一端が前記ベルトに強固に固定され他端が前記ベルトに着脱可能な保持部を有し、前記保持部の少なくとも前記一端と前記他端との間に伸縮可能部を有するとともに、前記ベルトの両端部に於いて前記ベルトが着脱可能に構成されたことを特徴とする医療用安心ホルダ。
【請求項２】
　前記ベルトの表面に面ファスナーのループ部を有し、前記ベルトの前記両端部一方の裏側に面ファスナーのフック部を有するとともに、前記保持部の前記他端の裏面に面ファスナーのフック部を有することを特徴とする請求項１の医療用安心ホルダ。
【請求項３】
　前記ベルトと前記保持部は異なる素材で、前記保持部の前記一端が前記ベルトに縫合により固定されていることを特徴とする請求項２の医療用安心ホルダ。
【請求項４】
　前記ベルトの表面に面ファスナーのループ部を有し、前記ベルトの前記両端部一方の裏側に面ファスナーのループ部を設け、前記ベルトの前記中間部にコの字形の切り込みを入れて形成された前記保持部の前記コの字の右側を前記保持部の前記他端とし、前記他端の表面に面ファスナーのフック部を設けるとともに、コの字の左側に前記ベルトの長辺と直行する方向の切り込みで、前記保持部を挿入可能な切り込みを有することを特徴とする請求項１の医療用安心ホルダ。
【考案の詳細な説明】
【技術分野】
【０００１】　本考案は、医療用安心ホルダに関するもので、更に詳しくは、カテーテルなどを患者に安全に且つしっかりと固定するためのホルダに関するものである。
【背景技術】
【０００２】　従来、前記ホルダの例として、例えば、ＵＳＰ４，４４５，８９４に開示されたように、尿道カテーテルを縛るように一回転させた保持部材の両端裏側に設けられた面ファスナー部で、腿に巻かれたベルトに固定する方式の尿道カテーテルホルダが知られている。この開発により、失禁患者などのように尿道からカテーテルを介してウロバッグに採尿させる場合に、患者の体の移動により、カテーテルが外れる、あるいは、尿道を傷つけることの欠点が解消された。【０００３】　このように、カテーテルを体表面に長時間に亙って固定する場合、この管理が大変である。長時間、患者が静止を保つことは難しく、患者の動きによって、例えば、尿道カテーテルに於いては、尿道粘膜とカテーテルの隙間ができるあるいは前記のよう尿道を損傷するあるいは採尿バックなどとカテーテルの結合部が変形するなどにより、細菌に汚染される機会が増え、尿路感染症の原因になっていたが、前記ＵＳＰに記載された医療用安心ホルダによって、改善されてきている。【０００４】　例えば、ＵＳＰ５，９４１，８５６に開示されたように、ＵＳＰ４，４４５８９４を改良し、前記保持部の中間部に切り込みを入れて、前記保持部の一端が挿入できるようにして挿入し、前記保持部が作る空間にカテーテルを挿入し、前記保持部の両端を互いに離れる方向に引っ張りながら、前記ベルトに固定することにより、更に、カテーテルの腿への固定を強固にした尿道カテーテルホルダが知られている。【０００５】　また、例えば、ＩＭＧカテーテルキーパーとして知られているものに、伸縮性のベルトに保持部の一端を固定し、前記保持部の片面を面ファスナーのループ部とし、但し、同一面の自由端部分に面ファスナーのフック部を設けて、前記固定された状態から自由端になる変化位置から固定側に入り込んだ位置に、前記保持部を挿入させる金具を固定したものがある。これは、使用時に前記変化位置で前記保持部を折り返して前記金具に挿入した前記保持部で、カテーテルを包むように巻き込んで、前記保持部の前記自由端を再び前記金具に挿入し、更に前記金具で折り返して、カテーテルを超えた位置で、前記面ファスナーのループ部とフック部で固定するタイプの尿道カテーテルがある。
【考案の開示】
【考案が解決しようとする課題】
【０００６】　前記２件のＵＳＰは、尿道カテーテルの安全保持に優れたものであるが、前記保持部の取り扱いが面倒で、前記保持部の紛失の欠点あるいはそのために多くの前記保持部を用意する必要がある。また、非常に高価で、尿道カテーテルホルダにその用途が限られており、この分野でも充分な普及がされていないばかりでなく、医療用安心ホルダの広範な医療分野での普及が充分されていない。また、前記キーパーと呼ばれる医療用安心ホルダの一種も、複雑な構造であるため、取り扱いが複雑な上、高価なものとなっていて、前記ＵＳＰと同様な問題がある。ただ、前記ＵＳＰと比較して、保持部の紛失を避けることができる利点と、保持部の予備を用意する必要はない利点を有する。
【課題を解決するための手段】
【０００７】　本考案はかかる状況に鑑みなされたもので、伸縮性のベルトの中間部に、一端が前記ベルトに強固に固定され他端が前記ベルトに着脱可能な保持部を有し、前記保持部の少なくとも前記一端と前記他端との間に伸縮可能部を有するとともに、前記ベルトの両端部に於いて前記ベルトが着脱可能に構成されたことを特徴とする医療用安心ホルダ（実施態様１）が、前記従来技術の長所をそのままで、従来の欠点を改良、改善することができることを発見した。【０００８】　本考案の他の実施の態様は、前記ベルトの表面に面ファスナーのループ部を有し、前記ベルトの前記両端部一方の裏側に面ファスナーのフック部を有するとともに、前記保持部の前記他端の裏面に面ファスナーのフック部を有する医療用安心ホルダ（実施態様２）がある。これにより、前記ベルトが包囲する太さが変わっても、容易に対応できる効果がある。このとき、前記ベルトと前記保持部は異なる素材で、前記保持部の前記一端が前記ベルトに縫合により固定されているようにすることができる。（実施態様３）【０００９】　伸縮性のベルトの中間部に、一端が前記ベルトに強固に固定され他端が前記ベルトに着脱可能な保持部を有し、前記保持部の少なくとも前記一端と前記他端との間に伸縮可能部を有するとともに、前記ベルトの両端部に於いて前記ベルトが着脱可能に構成された医療用安心ホルダであって、前記ベルトの表面に面ファスナーのループ部を有し、前記ベルトの前記両端部一方の裏側に面ファスナーのループ部を設け、前記ベルトの前記中間部にコの字形の切り込みを入れて形成された前記保持部の前記コの字の右側を前記保持部の前記他端とし、前記他端の表面に面ファスナーのフック部を設けるとともに、コの字の左側に前記ベルトの長辺と直行する方向の切り込みで、前記保持部を挿入可能な切り込みを有する医療用安心ホルダを他の実施態様（実施態様４）として用いることができる。【００１０】　前記実施態様４の変形も、前記面ファスナーのループ部の肌への感触あるいは肌への影響の無い場合には、用いることができる。実施態様４において、前記面ファスナーのループ部を前記ベルトの裏側（内側）に設け、前記切り込み（挿入部）を設けることなく、前記前記保持部の前記他端の表面ではなく、裏面に面ファスナーのフック部を設ける態様（実施態様５）も用いることができる。この場合は、カテーテルなどを前記保持部で包むようにし、前記ベルトに開いた穴部を通して前記カテーテルを前記保持部と前記ベルトの一体部に押し付けるようにしっかりと包囲して、前記保持部を前記ベルトの穴を通して、前記ベルトの裏側に前記保持部のフック部を固定する。その他実施態様１の範囲の中において、目的に応じ、好ましく用いられ、種々の態様がある。【００１１】　本考案の安心ホルダは、上記の尿道カテーテルの腿への固定に限定されず、種々の医療分野において同一のものあるいはサイズを変更したものが用いられる。体液、例えば、血液を体内から取り出すまたは血液の体内への注入、もしくは治療液または栄養剤の体内への注入の際に用いられる種々のチューブ類を体に固定するためにも用いられる。【００１２】　例えば、輸血または点滴のように、腕にチューブを固定する場合にも用いられ、固定部分の体部分の大きさによって、前記ベルトの長さが選択される。一般的に絆創膏などで、固定されていたところに使用でき、絆創膏の接着剤材質、絆創膏の接着力・剥離力などによりアレルギーになりやすいあるいは肌を傷つけやすい患者にも絆創膏を使用せずに用いることができる。または、絆創膏による固定は、汗などで固定が解かれることにより、色々な問題が生じることがある。【００１３】　本考案で、安心ホルダとは、医療用のもので、前記のように、体液などの取り出し・注入などの際に用いられるチューブ類を肌に固定するためのものである。本考案で、伸縮性のベルトは、ゴムなどの伸縮性の素材で作られた糸の布、あるいは前記糸を用いて、例えば綿糸を横糸に使用して作られた布、あるいは、伸縮性の編み方で作られた布などをベルト状にしたものである。場合によって、これに面ファスナーのループを形成する素材を編み込んでつくられたものである。患者の汗の吸収、肌触りを考慮して選択される。【００１４】　本考案の前記保持部は、前記ベルトと同一素材、あるいは、前記ベルトの一部を用いる（例えば、実施態様４と５）、あるいは、別の素材（例えば、実施態様３）を用いるが、別であっても、前記ベルトと同じ構成が用いられる。前記保持部の一端は、前記ベルトに縫合する、あるいは、金属またはプラスティックの鋲で固定される。前記保持部の自由端は、表面（例えば、実施態様４）あるいは裏面（例えば、実施態様２あるいは５）に面ファスナーのフック部が縫合などで、固定されている。面ファスナーとしては、例えばクラレ社のマジックテープ（クラレ社登録商標）などが用いられる。【００１５】　本考案の特徴のひとつは、前記保持部の前記ベルトへの前記固定部と前記面ファスナー部との間の一部あるいは全部が伸縮性を有していることであるが、この伸縮性と前記ベルトの伸縮性が協働して、カテーテル等のチューブ類をしっかりと固定する。従って、チューブ類の材質の種類に合わせて、前記保持部の材質が摩擦力、静電引力などを考慮して、選択されることが望ましい。前記チューブを挟持して前記保持部の自由端を前記ベルトに面ファスナーで固定するときには、前記保持部を延伸させながらしっかりと前記チューブを挟持したことを確認して、固定すると良い。そのときは、腿などの固定すべき体の位置を包囲し、面ファスナーで固定しておくことが好ましい。【００１６】　実施態様１の前記ベルトおよび／または前記保持部の着脱可能な手段としては、前記したように、面ファスナーが好ましく用いられるが、金属あるいはプラスティックのフック、ボタンなども用いることができる。
【考案の効果】
【００１７】　本考案は前記のように構成されるから、前記保持部が前記ベルトに強固に固定された側に、チューブ類を押し付けるように固定するので、簡単な操作で、カテーテル等のチューブ類を損傷させることなく、しっかりと体の必要位置に固定できる。更に、簡単な構造であるので、安価に製造でき、気楽に使用できるため、その応用範囲を尿道カテーテルホルダに限定されずに、広げることができる。また、前記保持部の紛失の虞もない。また、患者の肌にやさしく、患者が安心して治療を受けることができるとともに、種々の感染症を防止できる。また、最小の材料で製造可能であるので、環境にもよい。
【考案を実施するための最良の形態】
【００１８】　以下、本考案の具体的実施例を図面により、詳細に説明するが、これは、一実施例であって、これに限定されるものではなく、コスト、製造しやすさの点で、実施の態様１乃至５とともに最良の形態として、推奨されるものであるが、前記に説明した範囲の中で、使用目的、用途によって、種々の実施の態様が選択される。
【実施例】
【００１９】　図１は、本考案に係る医療用安心ホルダを尿道カテーテルホルダとして用いたものの概念斜視図である。１は、伸縮性のベルトであり、市販の面ファスナーの内でループ部で、伸縮性のものを選択し、前記ループを上面（表面）として用いたものである。周辺は伸縮性の市販の糸で縫合して、ほつれを防止している。この周囲は、材質によっては、熱溶着などの手段でほつれの防止ができる。【００２０】　３は、カテーテル保持部で、伸縮性の市販の布で作られ、固定部５と面ファスナーのフック部４とその中間部７から構成されている。図２は、前記保持部３を裏面から見た裏面概念図である。市販の面ファスナーフック部は、非伸縮性であり、非伸縮性あるいは伸縮性の糸で前記フック部４が前記保持部３の端部下面（裏面）に縫合で固定されていて、前記フック部４は、結果として非伸縮性である。固定部５は、理解の容易さのために、本実施例では、プラスティックの鋲６の熱溶着で前記保持部３の他端部が前記ベルト１に固定されているが、前記フック部４と同様に糸で縫合して固定して好ましく用いられる。【００２１】　図３は、前記ベルト１を裏面から見た裏面概念図ある。２は、前記ベルト１の裏面の端部に設けられた面ファスナーのフック部であり、前記フック部４と同一のものを適切な大きさにしたものを縫合して固定され、縫合部分の伸縮性が制限されている。腿に前記ベルト１を巻きつけて、前記フック部２を前記ループ部に押圧して腿に前記ベルト１がしっかり固定される。このように、結果として、前記ベルト１は、全体的に伸縮性部分が多く、保持部は、伸縮部７で、共に全体的に伸縮性を有している。前記保持部３がプラスティック鋲６で固定されている。【００２２】　図４は、本実施例に係る医療用安心ホルダを尿道カテーテルホルダとして用いた使用例の概念図である。前記ベルト１を腿に適切な力で引っ張りながら巻いて、前記フック部２を前記ベルト１の表面のループ部に押圧すると、前記ベルト１が腿にしっかりと固定される。尿道カテーテル８を前記保持部３と前記ベルト１の間に挟持し、前記固定部５の方向に押し付けるようにしながら、伸縮部７をいっぱいに引っ張り、前記カテーテルを巻き込むようにしながら、前記フック部４を前記ベルト１の表面のループ部に押圧すると前記カテーテル８が腿にしっかり固定される。患者の動きに対しても、尿道カテーテルが適切な力で保持されているので、患者からの苦情もなく、尿路感染症の問題も発生しなかった。また、看護婦の取り扱いも容易だったことを確認した。【００２３】　図５は、他の実施例の概念斜視図であり、前記実施例よりも強い力でチューブ類を保持する必要のあるときに用いるものであり、例えば、輸血あるいは点滴に好ましい。１１は、伸縮性のベルトであり、図１と同様なものを用い、表面に面ファスナーのループ部を有している。前記ベルト１１の一端部に面ファスナーのフック部２を前記実施例と同様に設けた。前記ベルト１１の中間部をコの字型に打ち抜き保持部１３を形成した。それぞれの切り口は伸縮性糸でかがってほつれ防止をした。保持部１３の自由端部表面に図２のように面ファスナーのフック部１４を設けた。前記ベルト１１に更に保持部１３の挿入口９を打ち抜いて、周囲を糸でかがってほつれ防止をした。【００２４】　図６は、チューブ類１８を固定する断面概念図である。前記ベルト１１と保持部３の間に、チューブ類１８を挟持させ、フック部１４を前記ベルトの穴を通してチューブ類１８を巻き込み、フック部１４を更に挿入口９を通して、前記ベルト１１の表面側に引っ張りながら引き出して、フック部１４を前記ベルト１１の表面ループ部に押圧して固定する。このように構成することにより、チューブ類１８を強固に保持することができる。前記ベルトは、例えば腕の周りを回して、フック部１２で、前記ベルト１１の表面ループ部に固定されて、希望の位置に固定される。前記実施例と同様な効果がある上に、素材コストが安くできる。
【産業上の利用可能性】
【００２５】　本考案は、以上のように構成され、用途拡大が期待され、面ファスナーの利用、用途、需要も拡大すると共に、患者の自由度の増大、拡大され、チューブ類の固定管理にかかっていた看護婦の時間削減も可能とし、市場拡大と新しい市場開拓に大きな効果がある。
【図面の簡単な説明】
【００２６】
【図１】本考案の一実地例の概念斜視図である。
【図２】図１の保持部の裏面概念図である。
【図３】図１の伸縮性ベルトの裏面概念図である。
【図４】図１の医療用安心ベルトの使用概念図である。
【図５】本考案の他の実施例の概念斜視図である。
【図６】図５の実施例の使用概念図である。
【符号の説明】
【００２７】１　　伸縮性ベルト
２　　面ファスナーのフック部
３　　保持部
４　　面ファスナーのフック部
５　　保持部の伸縮性ベルトへの固定部
７　　保持部の伸縮部
８　　カテーテル
９　　保持部の挿入口
１１　伸縮性ベルト
１２　面ファスナーのフック部
１３　保持部
１４　面ファスナーのフック部
１８　チューブ類
【図１】
0003099780.tif 000003
【図２】
0003099780.tif 000004
【図３】
0003099780.tif 000005
【図４】
0003099780.tif 000006
【図５】
0003099780.tif 000007
【図６】
0003099780.tif 000008